【手続補正書】
【提出日】平成19年8月8日(2007.8.8)
【手続補正１】
【補正対象書類名】明細書
【補正対象項目名】特許請求の範囲
【補正方法】変更
【補正の内容】
【特許請求の範囲】
【請求項１】  発信デバイスから受信デバイスへ色情報を交換する方法において、
前記発信デバイスと前記受信デバイスのそれぞれで呈示された１つ以上のテスト色に基づき得られたテスト色の測色値あるいはデバイスドライブレベルを同一色名ごとに分類し、
各色名ごとに統計処理を用いて正規化距離を算出し、
前記発信デバイスの色の明度と彩度とを変更してマッピングしたプリマップド色を生成し、
前記正規化距離に基づいた重み付け係数を用いて前記プリマップド色の明度、彩度、色相を変更して、再マッピングすることを特徴とする色情報交換方法。
【請求項２】  発信デバイスから受信デバイスへ色情報を交換する方法において、
前記発信デバイスと前記受信デバイスのそれぞれで呈示された１つ以上のテスト色に基づき得られたテスト色の測色値あるいはデバイスドライブレベルを同一色名ごとに分類し、
各色名ごとに統計処理を用いて正規化距離を算出し、
前記正規化距離に基づいた重み付け係数を用いて前記発信デバイスの色の明度、彩度、色相を変更して前記発信デバイスの色をマッピングすることを特徴とする色情報交換方法。
【請求項３】  前記正規化距離は、各色名ごとに前記測色値あるいは前記デバイスドライブレベルから算出された重心ベクトルと分散共分散行列とを用いることで算出されることを特徴とする請求項１または請求項２記載の色情報交換方法。
【請求項４】  前記正規化距離に基づいた重み付け係数は、発信デバイス色空間と受信デバイス色空間とに設定した制御点間の差分値に重み付けられる係数であることを特徴とする請求項１または請求項２記載の色情報交換方法。
【請求項５】  発信デバイス色空間と受信デバイス色空間とに設定した制御点が、少なくとも１人の観察者のカラーネーミングに基づいて分類された測色値あるいはデバイスドライブレベルから算出された重心ベクトルであることを特徴とする請求項４記載の色情報交換方法。
【請求項６】発信デバイス色空間と受信デバイス色空間とに設定した制御点が、デバイス色域表面、あるいは表面付近に設けられていることを特徴とする請求項１または請求項２記載の色情報交換方法。
【請求項７】  発信デバイス色空間と受信デバイス色空間とに設定した制御点の一部が、観察者のカラーネーミングに基づいて分類された測色値あるいはデバイスドライブレベルから算出された重心ベクトルであり、
残りの制御点が、デバイス色域表面、あるいは表面付近に設けられていることを特徴とする請求項４記載の色情報交換方法。
【請求項８】  発信デバイスの色空間内に設置した制御点と受信デバイスの色空間内に設置した制御点とが、お互いに測色値として等価な色を有する点である請求項１または請求項２記載の色情報交換方法。
【請求項９】  発信デバイスの色空間内に設置した制御点と受信デバイスの色空間内に設置した制御点とが、色の見えとして一致していることを特徴とする請求項１または請求項２記載の色情報交換方法。
【請求項１０】  発信デバイスの色空間内に設置した制御点の一部が、受信デバイスの色空間内に設置した制御点の一部とが、お互いに測色値として等価な色を有する点であり、
発信デバイスの色空間内に設置したその他の制御点が、受信デバイスの色空間内に設置したその他の制御点とが、色の見えとして一致していることを特徴とする請求項１または請求項２記載の色情報交換方法。
【請求項１１】  発信デバイスの色空間内に設置した制御点と受信デバイスの色空間内に設置した制御点との測色的距離が、発信デバイスと受信デバイスとの色再現範囲内において最小化されていることを特徴とする請求項１または請求項２記載の色情報交換方法。
【請求項１２】  発信デバイスの色空間内に設置した制御点と受信デバイスの色空間内に設置した制御点との色の見えの違いが、発信デバイスと受信デバイスの色再現範囲内において最小化されていることを特徴とする請求項１または請求項２記載の色情報交換方法。
【請求項１３】  発信デバイスの色空間内に設置した制御点の一部と受信デバイスの色空間内に設置した制御点の一部との測色的距離が、発信デバイスと受信デバイスの色再現範囲内において最小化され、
発信デバイスの色空間内に設置したその他の制御点と受信デバイスの色空間内に設置したその他の制御点との色の見えの違いが発信デバイスと受信デバイスの色再現範囲内において最小化されていることを特徴とする請求項１または請求項２記載の色情報交換方法。
【請求項１４】  色の見えが一致する制御点、あるいは、色の見えの違いが最小化された制御点を求める際に、発信デバイスと受信デバイスの色域のカスプの間にある色をテスト色として観察者に与え、観察者が特定した色を受信デバイスの制御点に用いることを特徴とする請求項９、１０、１２、または請求項１３のいずれかに記載の色情報交換方法。
【請求項１５】  発信デバイスに呈示した色の色名を少なくとも１人の観察者が応答することにより色名ごとに呈示色の測色値を分類し、分類された各測色値データ群の明度成分の分散あるいは標準偏差の大小に応じて発信デバイスのカスプを受信デバイスの色域表面へマッピングすることを特徴とする色情報交換方法。
【請求項１６】  観察者が応答する色名が、カテゴリカル基本色名であることを特徴とする請求項１、２、または請求項１５のいずれかに記載の色情報交換方法。
【請求項１７】  観察者が応答する色名が、記憶色名であることを特徴とする請求項１、２、または請求項１５のいずれかに記載の色情報交換方法。
【請求項１８】  観察者が応答する色名が、観察者が設定した色名であることを特徴とする請求項１、２、または請求項１５のいずれかに記載の色情報交換方法。
【請求項１９】  発信デバイスの色を受信デバイスの色空間にマッピングする際に、
受信デバイスにおけるマッピング色の明度を、発信デバイスの色の色相と一致する受信デバイスの色域表面にマッピングされた発信デバイスのカスプの色の明度とし、
発信デバイスの明度軸と受信デバイスの明度軸とでマッピングして得られたマッピング点の明度を、発信デバイスの色が持つ彩度と受信デバイス色空間内で発信デバイスの色の色相と明度を持つ色のうちの最高彩度の比で重み付けして決定することを特徴とする色情報交換方法。
【請求項２０】  発信デバイスの明度軸と受信デバイスの明度軸との間で実行する非線形マッピングが、
発信デバイスの黒カテゴリとグレーカテゴリとの境界の明度と、受信デバイスの黒カテゴリとグレーカテゴリとの境界の明度と、からなる2次元座標点と、
発信デバイスの白カテゴリとグレーカテゴリとの境界の明度と、受信デバイスの白カテゴリとグレーカテゴリとの境界の明度と、からなる2次元座標点と、
発信デバイスの最低明度と、受信デバイスの最低明度と、からなる2次元座標と、
発信デバイスの最高明度と、受信デバイスの最高明度と、からなる2次元座標と、
を最適化する非線形関数で実行されることを特徴とする請求項１９記載の色情報交換方法。
【請求項２１】  発信デバイスの色の明度と彩度とを変更することで、受信デバイスの色域外にある発信デバイスの色をすべて受信デバイスの色域内にマッピングするプリマッピング部と、
同一色名ごとに分類された、前記発信デバイスと前記受信デバイスのそれぞれで得られたテスト色の測色値あるいはデバイスドライブレベルを用いて、各同一色名ごとに算出した重心ベクトルと分散共分散行列とを保存するカラーネーミングデータベースと、
前記発信デバイスの色から最大彩度色が前記受信デバイスのガマット表面にマッピングされるように彩度を制御する色域形状制御係数を出力する色域形状制御係数算出部と、
前記重心ベクトルと分散共分散行列とから色名ごとに算出された正規化距離に基づいて重み付け係数を算出して、前記重み付け係数と前記色域形状制御係数とを用いて前記プリマップド色の明度、彩度、色相を変更して再マッピングをするメインマッピング部と、
を備えたことを特徴とする色情報交換装置。
【請求項２２】  同一色名ごとに分類された、発信デバイスと受信デバイスのそれぞれで得られたテスト色の測色値あるいはデバイスドライブレベルを用いて、各色名ごとに算出した重心ベクトルと分散共分散行列を保存するカラーネーミングデータベースと、
最大彩度色が前記受信デバイスのガマット表面にマッピングされるように彩度を制御する色域形状制御係数を前記発信デバイスの色から出力する色域形状制御係数算出部と、
色名ごとに定義された正規化距離に基づいて前記重心ベクトルと分散共分散行列から算出される重み付け係数と、前記色域形状制御係数と、を用いて発信デバイスの色の明度、彩度、色相を変更してマッピングをするマッピング部と、
を備えたことを特徴とする色情報交換装置。
【請求項２３】  発信デバイスから受信デバイスへ色情報を交換する装置において、
前記発信デバイスと前記受信デバイスのそれぞれで呈示された１つ以上のテスト色に基づき得られたテスト色の測色値あるいはデバイスドライブレベルを同一色名ごとに分類し、
各色名ごとに統計処理を用いて正規化距離を算出し、
前記発信デバイスの色の明度と彩度とを変更してマッピングしたプリマップド色を生成し、
前記正規化距離に基づいた重み付け係数を用いて前記プリマップド色の明度、彩度、色相を変更して、再マッピングすることを特徴とする色情報交換装置。